(57)【要約】      （修正有）【課題】床に蛇行配設したホースに温水を流すことにより床面を温め、室温を上げる温水床暖房装置において、上記ホースの装設を簡単に行うことができ、且つ反ることがなく平滑面を維持することができる温水床暖房パネルを提供する。【解決手段】発泡スチロール製のパネル本体に、熱膨張係数の異なる少なくともアルミ箔、合板、温水ホースを組み込んでなる温水床暖房装置において、パネル本体の片面に挿設溝を設け、この挿設溝に温水ホースを嵌装自在とし、パネル本体上面に熱膨張吸収溝を設けてパネル本体の反りを無くし平滑を維持自在とした温水床暖房用パネルである。【選択図】図３
2017044412.tif 000002
【特許請求の範囲】
【請求項１】
発泡スチロール製のパネル本体に、熱膨張係数の異なる少なくともアルミ箔、合板、温水ホースを組み込んでなる温水床暖房装置において、パネル本体の片面に挿設溝を設け、この挿設溝に温水ホースを嵌装自在とし、パネル本体上面に熱膨張吸収溝を設けてパネル本体の反りを無くし平滑を維持自在とした温水床暖房用パネル。
【発明の詳細な説明】
【技術分野】
【０００１】
本発明は床に蛇行配設したホースに温水を流すことにより床面を温め、室温を上げる温水床暖房装置において、上記ホースの装設を簡単に行うことができ、且つ反ることが無く平滑面を維持することのできる温水床暖房パネルに関する。
【背景技術】
【０００２】
温水床暖房装置は、広面積の所に温水を流す長いホースを蛇行配置することが、現場で行われるが手際が悪く、又配置間隔も一定しないことからホースを挿設する溝を設けた発泡スチロール板製のパネル本体よりなる温水床暖房パネルを予め床面に設置して、その溝にホースを嵌め込み設置して後、フローリングなど床仕上げ材を装設することにより行われることが一般的手法である。
【０００３】
上記温水床暖房用パネルには、温水熱を面に変換するためにアルミ箔など均熱板、熱を上面に効率よく伝導するためのスチロール板の断熱板、床仕上げフローリングを固定するための合板などの複合材が組み込まれる。
【０００４】
それらアルミ箔、スチロール板に断熱材、合板等は、それぞれ熱膨張係数が異なることから、スチロール製パネル本体の温水床暖房パネルに組み込んだとき、温度の上下によって特にスチロール板の温水床暖房パネルが反り暴れる虞がある。すなわち、アルミは６０℃の温度変化により１ｍ当たり約０．１６ｍｍ、スチロール板は同温度変化により１ｍ当たり約０．８ｍｍ、合板は同温度変化により１ｍ当たり約２ｍｍ〜３ｍｍ膨縮する。
【０００５】
特にスチロール板パネル本体を用いる温水床暖房パネルは、成形により上面に溝を設けてあって、その溝にアルミ押し出し成形の断面逆Ω形状の鍔付成形管を篏合して、この鍔付成形管に温水ホースを挿設する構成にするときは、直接熱の上下が大きく関わることから上部と下部の熱膨縮の違いから、反り暴れることになり、床仕上げ材を設置したとき仕上がり床表面の見栄えが悪くなったり、経年によって剥がれが生じたりする虞がある。
【発明の概要】
【発明が解決しようとする課題】
【０００６】
本発明は、上記のような温水床暖房パネルにおいて、構成材料である発泡スチロール板のパネル本体に熱膨縮を許容する溝、すなわち熱膨張吸収溝を一定区間毎に積極的に設けることにより、温水床暖房パネルの逆海老反り等暴れを無くし、仕上がり床表面の見栄えがよく、床鳴り及び経年使用においても剥がれの虞のない温水床暖房用パネルを提供するものである。
【０００７】
温水床暖房パネルを構成する殆どの部材は発泡スチロールである。すなわち、発泡スチロール板製であるパネル本体の成形時に温水ホースの溝を設けて、この溝に温水ホースの熱を上方へ効率よく伝えるために押し出し成形アルミニウムの断面逆Ω形状の鍔付熱伝導成形管を嵌装し、この鍔付熱伝導成形管に上記温水ホースを嵌挿して、上面にアルミ箔等の均熱フイルムを貼って広面の温水床暖房装置が構成される。
【０００８】
この場合発泡スチロール板のパネル本体は温水ホースに流れる５０℃〜８０℃の熱を、鍔付熱伝導成形管を介して直接受けることから、パネル本体に掛かる熱はパネル本体の上部と下部とで差が出来るために逆海老状態の様に反り返ろうとする。従ってパネル本体周部に設置する合板とパネル本体とを貼り合せた均熱フイルムとは貼り合せ面にて剥がれ、熱膨張係数の違い以上にパネル本体面は暴れを一段と大きくする。
【課題を解決するための手段】
【０００９】
本発明はこれら観点に立って、パネルの多くを構成する断熱を兼ねた発泡スチロール製で温水床暖房用のパネル本体の成形時に溝を形成し、該溝に逆Ω形状の鍔付熱伝導成形管を篏装するとともに、パネル本体の長尺方向の一定間隔位置に約３ｍｍ幅で約２ｍｍ深さの熱膨張吸収溝を幅方向に形成することにより、加熱温度差による発泡スチロール板のパネル本体の反り暴れを、熱膨張吸収溝により吸収するものである。すなわち、発泡スチロール板のパネル本体は上部に高温熱が掛かることから、逆海老のように反り暴れが生じようとするが、上記のごとき約３ｍｍ幅の約２ｍｍ深さの熱膨張吸収溝を設けることにより、温水床暖房パネル即ちパネル本体上部側の熱膨張は吸収され反り暴れがなくなることから、見栄えのよい平面床を形成して、かつ、床鳴り及び経年における剥がれのない温水床暖房装置を提供するものである。
【発明の効果】
【００１０】
本発明は温水床暖房パネルの殆どを構成する発泡スチロールからなるパネル本体に、温水を流す温水ホースを、鍔付熱伝導成形管を介して嵌装する挿設溝を設けるとともに、長尺方向の一定間隔位置に約３ｍｍ幅の約２ｍｍ深さの熱膨張吸収溝を設けることにより、発泡スチロール製のパネル本体が熱の分布により生じる逆海老状の反り暴れを無くし、見栄えのよい平面を構成するとともに、床鳴りや、添え木合板との剥がれのない効果を有する。
【図面の簡単な説明】
【００１１】
【図１】温水床暖房装置を施設した説明図。
【図２】図１の床面拡大断面説明図。
【図３】温水床暖房パネルの平面説明図。
【図４】図３の幅方向断面説明図。
【図５】図３の長尺方向側面説明図。
【図６】温水ホースを温水床暖房用パネルに組み込んだ状態の拡大断面説明図。
【図７】鍔付熱伝導成形管を配管する挿設溝形状の断面説明図。
【発明を実施するための最良の形態】
【００１２】
本発明の温水床暖房パネルAを使用した温水床暖房装置を施設した暖房システムを図１及び図２に基づいて説明する。部屋の床構造は根太１の下面に受け板２を張り巡らせて、この受け板２に受けられ、根太１と略同じ厚みの断熱材３が設置されている。
断熱材３は通常発泡スチロールあるいは硬質ウレタンボードなど発泡化学樹脂ボード、あるいは木質系のMDFや合板が使用される。根太１の上面には荒床４が設置される。
本発明の温水床暖房パネルAは荒床４に敷き並べ設置されており、室外に置かれた温水ユニットBから配管Cを通して温水床暖房用ネルAに施設された温水ホース５に温水が流されて、温水床暖房パネルA上面に施設されたフローリングなど床仕上げ材６を暖め、室温を上げる。
なお、温水床暖房パネルAの室の周囲には、温水床暖房パネルAと同じ厚みの合板７により不陸調整されている。
温水床暖房パネルAは成形発泡スチロールからなる断熱を兼ねたパネル本体８及びパネル本体８の片側面に同じ厚みの合板９の上面側はアルミ箔テープの均熱フイルム１０で接着にて、下面側は接着材付ポリエステルテープ１４にて貼り合わせ、パネル本体８に設けられた挿設溝１１に押し出しアルミ成形の鍔付熱伝導性警官１２を介して温水ホース５を嵌挿して構成されている。パネル本体８を詳細に説明すると、パネル本体８は図３に示されるように略幅２５０ｍｍ、長さ９０８ｍｍの板に成形され、長尺方向に２本の挿設溝１１と幅方向に長さ９０８ｍｍを略３等分する３００ピッチの熱膨張吸収溝１３，１３，が約３ｍｍ幅、深さ２ｍｍで成形されている。合板９には、隣接する温水床暖房パネルへAの挿設溝11へ連絡するホース溝（ニ）が形成される。
【実施例】
【００１３】
本発明の一実施例を図３ないし図７に基づいて説明する。本発明の温水床暖房パネルAは、成形発泡スチロールからなる断熱を兼ねたパネル本体８と、そのパネル本体８の片側に設けられた合板９からなり、パネル本体８と合板９は、上面は接着剤付アルミ箔テープの均熱フイルム１０、下面は接着材付ポリエステルテープ１４で貼り合わされている。この場合上面の均熱フイルム１０はパネル本体８に設けられた挿設溝１１部分を除いた３枚を貼り合わせている。挿設溝１１は、合板９を合わせた３０３ｍｍ幅の隣接する温水床暖房パネルAをあわせた略３等分位置に均等になるように成形される。図面にて一例を説明すると、パネル本体８の挿設溝１１は、パネル本体８の中心から１５１．５ｍｍピッチの幅に設けられ、５３ｍｍ幅の合板９を片側面に設けたことから、隣接する温水床暖房パネルAの合板９をあわせると、床に敷き並べたときに１５１．５ｍｍで均等に配置される。挿設溝１１は、断面逆Ω形状に形成され、片方の端部には隣接する温水床暖房パネルAに温水ホース５を嵌装する溝イ及び温水ユニットBへの配管Cにホース５を接続するホース溝ロ、またホース５Uターンする溝ハが成形されている。これらホース溝イおよびロ、ハはホースを通すだけであるからU字に成形されている。逆Ω形状の挿設溝１１には、これに嵌る形状の逆Ω形状の鍔付熱伝導成型管１２が嵌装されている。鍔付熱伝導成型管１２には温水ホース５が挿入設置される。
【００１４】
鍔付熱伝導成型管１２はアルミ押し出しにて形成され、その鍔部１２a、１２aは均熱フイルム１０と接着して温水床暖房パネルAの上面に効率よく熱伝導する。温水ホース５は架橋ポリエチレン等の押し出し成形にて、鍔付熱伝導成型管１２に嵌挿したとき、鍔付熱伝導成型管１２の内面に密設する外形に成形されている。
【００１５】
上記挿設溝１１を成形したパネル本体８はその長手方向を略３等分する位置に、パネル本体８を横断する３ｍｍ幅、２ｍｍ深さの熱膨張吸収溝１３，１３，が成形されている。この熱膨張吸収溝１３，１３，は温水ホース５に温水を流したとき、パネル本体８の上部側が下部側に比較して暖まることから熱膨張の違いによりパネル本体８が海老のように反るのを吸収して、パネル本体８は平滑を維持する。
【００１６】
なお、上記実施例においては隣接する温水床暖房パネルへAのホース溝（イ）、温水ユニットBへの配管用ホース溝（ロ）、Uターン用ホース溝（ハ）をパネル本体８の端に、合板９に温水床暖房パネルAへのホース溝（ニ）を設けたものについて説明したが、本発明はこれら溝（イ）、（ロ）、（ハ）、（ニ）を有しないパネルにも適応される。また、熱膨張吸収溝１３を２列設けたものについて説明したが、その列に制約されるものではなく、パネル本体８の長さについても制約されるものでない。
【００１７】
以上実施例で説明したように、本発明は温水ホースに温水を流すことにより床面を温める温水床暖房装置において、発泡スチロール成形で形成されたパネル本体に熱吸収溝を設けたことを特徴とする。この熱吸収溝を設けたことにより、基材は海老のように反ることが無くなり、平滑面を維持して床仕上げ材を張ったときにもきれいな床面に仕上げられる。また、永年の使用においても床鳴りや剥がれを生じることがない。
【符号の説明】
【００１８】
１：根太
２：受け板
３：断熱材
４：荒床
５：ホース
６：床仕上げ材
７：合板
８：パネル本体
９：合板
１０：均熱フイルム
１１：ホース溝
１２：鍔付熱伝導成型管
１３：熱膨張吸収溝
１４：接着材付ポリエステルテープ
Ａ：温水床暖房パネル
Ｂ：温水ユニット
Ｃ：配管
イ：隣接床暖パネルへのホース溝
ロ：温水ユニットへの配管用ホース溝
ハ：Ｕターン用ホース溝
ニ：隣接床暖パネルへのホース溝
【図１】
2017044412.tif 000003
【図２】
2017044412.tif 000004
【図３】
2017044412.tif 000005
【図４】
2017044412.tif 000006
【図５】
2017044412.tif 000007
【図６】
2017044412.tif 000008
【図７】
2017044412.tif 000009
【手続補正書】
【提出日】平成28年8月9日(2016.8.9)
【手続補正１】
【補正対象書類名】明細書
【補正対象項目名】全文
【補正方法】変更
【補正の内容】
【発明の詳細な説明】
【技術分野】
【０００１】
本発明は床に蛇行配設したホースに温水を流すことにより床面を温め、室温を上げる温水床暖房装置において、上記ホースの装設を簡単に行うことができ、且つ反ることが無く平滑面を維持することのできる温水床暖房パネルに関する。
【背景技術】
【０００２】
温水床暖房装置は、広面積の所に温水を流す長いホースを蛇行配置することが、現場で行われるが手際が悪く、又配置間隔も一定しないことからホースを挿設する溝を設けた発泡スチロール板製のパネル本体よりなる温水床暖房パネルを予め床面に設置して、その溝にホースを嵌め込み設置して後、フローリングなど床仕上げ材を装設することにより行われることが一般的手法である。
【０００３】
上記温水床暖房用パネルには、温水熱を面に変換するためにアルミ箔など均熱板、熱を上面に効率よく伝導するためのスチロール板の断熱板、床仕上げフローリングを固定するための合板などの複合材が組み込まれる。
【０００４】
それらアルミ箔、スチロール板に断熱材、合板等は、それぞれ熱膨張係数が異なることから、スチロール製パネル本体の温水床暖房パネルに組み込んだとき、温度の上下によって特にスチロール板の温水床暖房パネルが反り暴れる虞がある。すなわち、アルミは６０℃の温度変化により１ｍ当たり約０．１６ｍｍ、スチロール板は同温度変化により１ｍ当たり約０．８ｍｍ、合板は同温度変化により１ｍ当たり約２ｍｍ〜３ｍｍ膨縮する。
【０００５】
特にスチロール板パネル本体を用いる温水床暖房パネルは、成形により上面に溝を設けてあって、その溝にアルミ押し出し成形の断面逆Ω形状の鍔付成形管を篏合して、この鍔付成形管に温水ホースを挿設する構成にするときは、直接熱の上下が大きく関わることから上部と下部の熱膨縮の違いから、反り暴れることになり、床仕上げ材を設置したとき仕上がり床表面の見栄えが悪くなったり、経年によって剥がれが生じたりする虞がある。
【発明の概要】
【発明が解決しようとする課題】
【０００６】
本発明は、上記のような温水床暖房パネルにおいて、構成材料である発泡スチロール板のパネル本体に熱膨縮を許容する溝、すなわち熱膨張吸収溝をパネル本体の長尺方向の一定間隔毎に積極的に設けることにより、温水床暖房パネルの逆海老反り等暴れを無くし、仕上がり床表面の見栄えがよく、床鳴り及び経年使用においても剥がれの虞のない温水床暖房用パネルを提供するととともに、敷設工事において一定間隔毎に設けられた熱膨張吸収溝が現場での寸法加工をより容易にするものである。
【０００７】
温水床暖房パネルを構成する殆どの部材は発泡スチロールである。すなわち、発泡スチロール板製であるパネル本体の成形時に温水ホースの溝を設けて、この溝に温水ホースの熱を上方へ効率よく伝えるために押し出し成形アルミニウムの断面逆Ω形状の鍔付熱伝導成形管を嵌装し、この鍔付熱伝導成形管に上記温水ホースを嵌挿して、上面にアルミ箔等の均熱フイルムを貼って広面の温水床暖房装置が構成される。また、敷設現場においては発砲スチロール(パネル本体)の寸法を切断し変更することの目安寸法となったり、固定の釘打ちの間隔目安を定規を使用しないで容易に作業ができ敷設作業がより効果的となる。
【０００８】
この場合発泡スチロール板のパネル本体は温水ホースに流れる５０℃〜８０℃の熱を、鍔付熱伝導成形管を介して直接受けることから、パネル本体に掛かる熱はパネル本体の上部と下部とで差が出来るために逆海老状態の様に反り返ろうとする。従ってパネル本体周部に設置する合板とパネル本体とを貼り合せた均熱フイルムとは貼り合せ面にて剥がれ、熱膨張係数の違い以上にパネル本体面は暴れを一段と大きくする。
【課題を解決するための手段】
【０００９】
本発明はこれら観点に立って、パネルの多くを構成する断熱を兼ねた発泡スチロール製で温水床暖房用のパネル本体の成形時に溝を形成し、該溝に逆Ω形状の鍔付熱伝導成形管を篏装するとともに、パネル本体の長尺方向の一定間隔位置に約３ｍｍ幅で約２ｍｍ深さの熱膨張吸収溝を幅方向に形成することにより、加熱温度差による発泡スチロール板のパネル本体の反り暴れを、熱膨張吸収溝により吸収するものである。すなわち、発泡スチロール板のパネル本体は上部に高温熱が掛かることから、逆海老のように反り暴れが生じようとするが、上記のごとき約３ｍｍ幅の約２ｍｍ深さの熱膨張吸収溝を設けることにより、温水床暖房パネル即ちパネル本体上部側の熱膨張は吸収され反り暴れがなくなることから、見栄えのよい平面床を形成して、かつ、床鳴り及び経年における剥がれのない温水床暖房装置を提供するものである。さらに、長尺方向の一定間隔位置の熱膨張吸収溝がパネル敷設工事において寸法の目安を提供する効果があり、現場工事の負担軽減、効率化を提供するものである。
【発明の効果】
【００１０】
本発明は温水床暖房パネルの殆どを構成する発泡スチロールからなるパネル本体に、温水を流す温水ホースを、鍔付熱伝導成形管を介して嵌装する挿設溝を設けるとともに、長尺方向の一定間隔位置に約３ｍｍ幅の約２ｍｍ深さの熱膨張吸収溝を設けることにより、発泡スチロール製のパネル本体が熱の分布により生じる逆海老状の反り暴れを無くし、見栄えのよい平面を構成するとともに、床鳴りや、添え木合板との剥がれのない効果を有し、殊に幅広のパネル本体の場合は中心部の逆海老状の反り暴れ等を無くし、かつパネル敷設工事において寸法の目安を提供する効果があり、現場工事の負担軽減、効率化を提供するものである。
【図面の簡単な説明】
【００１１】
【図１】温水床暖房装置を施設した説明図。
【図２】図１の床面拡大断面説明図。
【図３】温水床暖房パネルの平面説明図。
【図４】図３の幅方向断面説明図。
【図５】図３の長尺方向側面説明図。
【図６】温水ホースを温水床暖房用パネルに組み込んだ状態の拡大断面説明図。
【図７】鍔付熱伝導成形管を配管する挿設溝形状の断面説明図。
【発明を実施するための最良の形態】
【００１２】
本発明の温水床暖房パネルAを使用した温水床暖房装置を施設した暖房システムを図１及び図２に基づいて説明する。部屋の床構造は根太１の下面に受け板２を張り巡らせて、この受け板２に受けられ、根太１と略同じ厚みの断熱材３が設置されている。
断熱材３は通常発泡スチロールあるいは硬質ウレタンボードなど発泡化学樹脂ボード、あるいは木質系のMDFや合板が使用される。根太１の上面には荒床４が設置される。
本発明の温水床暖房パネルAは荒床４に敷き並べ設置されており、室外に置かれた温水ユニットBから配管Cを通して温水床暖房用ネルAに施設された温水ホース５に温水が流されて、温水床暖房パネルA上面に施設されたフローリングなど床仕上げ材６を暖め、室温を上げる。
なお、温水床暖房パネルAの室の周囲には、温水床暖房パネルAと同じ厚みの合板７により不陸調整されている。
温水床暖房パネルAは成形発泡スチロールからなる断熱を兼ねたパネル本体８及びパネル本体８の片側面に同じ厚みの合板９の上面側はアルミ箔テープの均熱フイルム１０で接着にて、下面側は接着材付ポリエステルテープ１４にて貼り合わせ、パネル本体８に設けられた挿設溝１１に押し出しアルミ成形の鍔付熱伝導性警官１２を介して温水ホース５を嵌挿して構成されている。パネル本体８を詳細に説明すると、パネル本体８は図３に示されるように略幅２５０ｍｍ、長さ９０８ｍｍの板に成形され、長尺方向に２本の挿設溝１１と幅方向に長さ９０８ｍｍを略３等分する３００ピッチの熱膨張吸収溝１３，１３，が約３ｍｍ幅、深さ２ｍｍで成形されている。合板９には、隣接する温水床暖房パネルへAの挿設溝11へ連絡するホース溝（ニ）が形成される。
【実施例】
【００１３】
本発明の一実施例を図３ないし図７に基づいて説明する。本発明の温水床暖房パネルAは、成形発泡スチロールからなる断熱を兼ねたパネル本体８と、そのパネル本体８の片側に設けられた合板９からなり、パネル本体８と合板９は、上面は接着剤付アルミ箔テープの均熱フイルム１０、下面は接着材付ポリエステルテープ１４で貼り合わされている。この場合上面の均熱フイルム１０はパネル本体８に設けられた挿設溝１１部分を除いた３枚を貼り合わせている。挿設溝１１は、合板９を合わせた３０３ｍｍ幅の隣接する温水床暖房パネルAをあわせた略３等分位置に均等になるように成形される。図面にて一例を説明すると、パネル本体８の挿設溝１１は、パネル本体８の中心から１５１．５ｍｍピッチの幅に設けられ、５３ｍｍ幅の合板９を片側面に設けたことから、隣接する温水床暖房パネルAの合板９をあわせると、床に敷き並べたときに１５１．５ｍｍで均等に配置される。挿設溝１１は、断面逆Ω形状に形成され、片方の端部には隣接する温水床暖房パネルAに温水ホース５を嵌装する溝イ及び温水ユニットBへの配管Cにホース５を接続するホース溝ロ、またホース５Uターンする溝ハが成形されている。これらホース溝イおよびロ、ハはホースを通すだけであるからU字に成形されている。逆Ω形状の挿設溝１１には、これに嵌る形状の逆Ω形状の鍔付熱伝導成型管１２が嵌装されている。鍔付熱伝導成型管１２には温水ホース５が挿入設置される。
【００１４】
鍔付熱伝導成型管１２はアルミ押し出しにて形成され、その鍔部１２a、１２aは均熱フイルム１０と接着して温水床暖房パネルAの上面に効率よく熱伝導する。温水ホース５は架橋ポリエチレン等の押し出し成形にて、鍔付熱伝導成型管１２に嵌挿したとき、鍔付熱伝導成型管１２の内面に密設する外形に成形されている。
【００１５】
上記挿設溝１１を成形したパネル本体８はその長手方向を略３等分する位置に、パネル本体８を横断する３ｍｍ幅、２ｍｍ深さの熱膨張吸収溝１３，１３，が成形されている。この熱膨張吸収溝１３，１３，は温水ホース５に温水を流したとき、パネル本体８の上部側が下部側に比較して暖まることから熱膨張の違いによりパネル本体８が海老のように反るのを吸収して、パネル本体８は平滑を維持する。
また、パネル敷設工事においては略３等分された位置に配置された熱膨張吸収溝は、敷設の寸法加工調整およびパネル固定の釘打ち間隔調整目安として利用される。
【００１６】
なお、上記実施例においては隣接する温水床暖房パネルへAのホース溝（イ）、温水ユニットBへの配管用ホース溝（ロ）、Uターン用ホース溝（ハ）をパネル本体８の端に、合板９に温水床暖房パネルAへのホース溝（ニ）を設けたものについて説明したが、本発明はこれら溝（イ）、（ロ）、（ハ）、（ニ）を有しないパネルにも適応される。また、熱膨張吸収溝１３を２列設けたものについて説明したが、その列に制約されるものではなく、パネル本体８の長さについても制約されるものでない。
【００１７】
以上実施例で説明したように、本発明は温水ホースに温水を流すことにより床面を温める温水床暖房装置において、発泡スチロール成形で形成されたパネル本体に熱吸収溝をパネル本体の長尺方向の一定間隔位置に設けたことを特徴とする。この熱吸収溝を設けたことにより、パネル本体は海老のように反ることが無くなり、平滑面を維持して床仕上げ材を張ったときにもきれいな床面に仕上げられる。殊にパネル本体が幅広の場合でも中心部の平滑面を維持し、永年の使用においても床鳴りや剥がれを生じることがない。さらに寸法目安として利用することができ、敷設工事の効率化を提供する。
【符号の説明】
【００１８】
１：根太
２：受け板
３：断熱材
４：荒床
５：ホース
６：床仕上げ材
７：合板
８：パネル本体
９：合板
１０：均熱フイルム
１１：ホース溝
１２：鍔付熱伝導成型管
１３：熱膨張吸収溝
１４：接着材付ポリエステルテープ
Ａ：温水床暖房パネル
Ｂ：温水ユニット
Ｃ：配管
イ：隣接床暖パネルへのホース溝
ロ：温水ユニットへの配管用ホース溝
ハ：Ｕターン用ホース溝
ニ：隣接床暖パネルへのホース溝
【手続補正２】
【補正対象書類名】特許請求の範囲
【補正対象項目名】全文
【補正方法】変更
【補正の内容】
【特許請求の範囲】
【請求項１】
発泡スチロール製のパネル本体に、熱膨張係数の異なる少なくともアルミ箔、合板、温水ホースを組み込んでなる温水床暖房装置において、パネル本体の片面に挿設溝を設け、この挿設溝に温水ホースを嵌装自在とし、パネル本体上面の長尺方向の一定間隔毎に熱膨張吸収溝を設けてパネル本体の反りを無くし平滑を維持自在とした温水床暖房用パネル。